(57)【要約】【課題】  装置に装填するときに精度よく位置決めすることができるとともに、記録材料の出口側を保護できる記録材料用カートリッジを提供する。【解決手段】  この記録材料用カートリッジ１０は、シート状記録材料Ｓの外部への搬出のために搬出口２０を開きかつ遮光のために閉じ、搬出口を開いたとき記録材料のガイドを形成する遮光ガイド２１，２２と、搬出口を閉じるように遮光ガイドを付勢する付勢部材２１ａ，２２ａと、遮光ガイドを駆動するように移動する駆動部材１７と、を備え、装置に装填していないとき駆動部材が遮光ガイドを筐体１１側に引き込むように駆動し、遮光ガイドが付勢部材の付勢力により搬出口を閉じ、装置に装填したとき駆動部材が遮光ガイドを筐体の外部に付勢部材の付勢力に抗して押し出すように駆動し、ガイドｇを形成するとともに、遮光ガイドにより装置に対する位置規制が行われる。【選択図】  図２
2006234886.tif 000002
【特許請求の範囲】
【請求項１】
カートリッジ筐体内にシート状記録材料をロール状にして収容し装置に対し装填可能な記録材料用カートリッジであって、
前記シート状記録材料の外部への搬出のために搬出口を開きかつ遮光のために閉じるとともに、前記搬出口を開いたとき前記シート状記録材料のガイドを形成する遮光ガイドと、
前記搬出口を閉じるように前記遮光ガイドを付勢する付勢部材と、
前記遮光ガイドを駆動するように移動する駆動部材と、を備え、
前記装置に装填していないとき、前記駆動部材が前記遮光ガイドを前記カートリッジ筐体側に引き込むように駆動し、前記遮光ガイドが前記付勢部材の付勢力により前記搬出口を閉じ、
前記装置に装填したとき、前記駆動部材が前記遮光ガイドを前記カートリッジ筐体の外部に前記付勢部材の付勢力に抗して押し出すように駆動し、前記ガイドを形成するとともに、前記遮光ガイドにより前記装置に対する位置規制が行われることを特徴とする記録材料用カートリッジ。
【請求項２】
前記シート状記録材料を外部に搬出し給送する給送ローラと、前記給送ローラを駆動するローラ駆動部材と、を前記カートリッジ筐体内に備え、
前記装置に装填していないとき、前記駆動部材は前記給送ローラと前記ローラ駆動部材との駆動伝達を切り離すように前記給送ローラ及び前記ローラ駆動部材の少なくともいずれか一方を移動させることを特徴とする請求項１に記載の記録材料用カートリッジ。
【請求項３】
前記駆動部材は前記遮光ガイドを支持しながら移動する支持部材を備えることを特徴とする請求項１に記載の記録材料用カートリッジ。
【発明の詳細な説明】
【技術分野】
【０００１】
本発明は、シート状記録材料をロール状にして収容し装置に装填可能な記録材料用カートリッジに関するものである。
【背景技術】
【０００２】
下記特許文献１は、ロール状記録材料を収容し装置に装填するカートリッジタイプのマガジンを開示する（要約、図４、図７）。図５のように、特許文献１のマガジン１００は、ロール状の印画紙１０１を収容し印画紙の先端１０５が内部のローラ対１０２により外部に供給されるようになっており、装置の載置面１０４にセットされると、印画紙１０１はその先端１０５から装置内のローラ対１０３で装置内に供給される。
【０００３】
下記特許文献２は、感光体がロール状に巻かれた状態で収容され複写機に装填されるカートリッジタイプのマガジンを開示する（要約、図１）。図６のように、特許文献２のマガジン１２０には内部の感光体を繰り出すための感光体誘導部１２４及び感光体繰出部１２５が突出して形成されており、感光体誘導部１２４には感光体の先端１２１を引き出すための複写機側の引き出しローラ対と嵌合する切欠部１２８が設けられている。
【０００４】
しかし、図５のようなマガジン１００を装置に装填するとき、装置に対し確実に位置決めすることが必要である。また、図６のマガジン１２０によれば、感光体誘導部１２４で感光体の先端１２１を案内できるが、マガジン１２０の脱着のとき等において、感光体誘導部１２４及び感光体繰出部１２５が突出しているため、感光体の出口部分を下側にして置くことができず、マガジンの脱着作業等が面倒となり、作業性の悪いものとなってしまい、誤って感光体の出口部分を下側にして置くと、破損のおそれが生じてしまう。
【特許文献１】特開平５−１２７２６１号公報
【特許文献２】特開平７−２０５２０号公報
【発明の開示】
【発明が解決しようとする課題】
【０００５】
本発明は、上述のような従来技術の問題に鑑み、装置に装填するときに精度よく位置決めすることができるとともに、記録材料の出口側を保護できる記録材料用カートリッジを提供することを目的とする。
【課題を解決するための手段】
【０００６】
上記目的を達成するために、本発明による記録材料用カートリッジは、カートリッジ筐体内にシート状記録材料をロール状にして収容し装置に対し装填可能な記録材料用カートリッジであって、前記シート状記録材料の外部への搬出のために搬出口を開きかつ遮光のために閉じるとともに、前記搬出口を開いたとき前記シート状記録材料のガイドを形成する遮光ガイドと、前記搬出口を閉じるように前記遮光ガイドを付勢する付勢部材と、前記遮光ガイドを駆動するように移動する駆動部材と、を備え、
前記装置に装填していないとき、前記駆動部材が前記遮光ガイドを前記カートリッジ筐体側に引き込むように駆動し、前記遮光ガイドが前記付勢部材の付勢力により前記搬出口を閉じ、
前記装置に装填したとき、前記駆動部材が前記遮光ガイドを前記カートリッジ筐体の外部に前記付勢部材の付勢力に抗して押し出すように駆動し、前記ガイドを形成するとともに、前記遮光ガイドにより前記装置に対する位置規制が行われることを特徴とする。
【０００７】
この記録材料用カートリッジによれば、カートリッジが装置に装填されていない状態では、遮光ガイドがカートリッジ筐体側に引き込まれ搬出口を閉じて内部を遮光し、記録材料を搬出口から内側に待避させることができるので、記録材料の出口側を保護できる。また、カートリッジを装置に装填した状態では、駆動部材により遮光ガイドが搬出口を開きカートリッジ筐体の外部に記録材料搬送のためのガイドを形成するとともに、遮光ガイドがカートリッジ筐体の外部で装置側の位置決め部と協働してカートリッジの位置を規制できるので、カートリッジを装置に装填するときに精度よく位置決めすることができる。
【０００８】
上記記録材料用カートリッジにおいて前記シート状記録材料を外部に搬出し給送する給送ローラと、前記給送ローラを駆動するローラ駆動部材と、を前記カートリッジ筐体内に備え、前記装置に装填していないとき、前記駆動部材は前記給送ローラと前記ローラ駆動部材との駆動伝達を切り離すように前記給送ローラ及び前記ローラ駆動部材の少なくともいずれか一方を移動させるように構成することで、カートリッジを装置に装填しないとき、給送ローラを駆動しないように規制できる。なお、ローラ駆動部材は、給送ローラを駆動するモータまたはカートリッジ外部のモータの回転駆動を伝達するギヤ等から構成できる。
【０００９】
また、前記駆動部材は前記遮光ガイドを支持しながら移動する支持部材を備えるように構成できる。なお、駆動部材は、手動やソレノイド等の動力手段で移動するように構成できる。
【発明の効果】
【００１０】
本発明の記録材料用カートリッジによれば、装置に装填するときに精度よく位置決めすることができるとともに、装置に装填しないときに記録材料の出口側を保護できる。
【発明を実施するための最良の形態】
【００１１】
以下、本発明を実施するための最良の形態について図面を用いて説明する。図１は本実施の形態による記録材料用カートリッジの内部を正面から見た図であり、装置に装填していない状態を示す図である。図２は図１の記録材料用カートリッジを装置に装填した場合の状態を示す図である。
【００１２】
図１，図２に示すように、記録材料用カートリッジ１０は、カートリッジの外形を構成するとともに長尺のシート状記録材料Ｓを巻芯部材１３にロール状に巻回した状態で収容可能なカートリッジ筐体１１と、カートリッジ筐体１１を手で持つための取手１２と、シート状記録材料Ｓを外部に給送するための給送ローラ対１４と、給送ローラ対１４側と噛み合い給送ローラ対１４に装置側からのトルクを伝達し給送ローラ対１４を回転駆動するギヤ１５と、を備える。なお、記録材料Ｓは、銀塩感光材料とすることができるが、これに限定されるものではない。
【００１３】
記録材料用カートリッジ１０は、更に、カートリッジ筐体１１に下面１１ａに設けられたシート状記録材料Ｓを外部に搬出するための搬出口２０を開閉する遮光ガイド２１，２２と、遮光ガイド２１，２２を支持しながら移動する支持部材１８，１９と、支持部材１８，１９を介して遮光ガイド２１，２２を駆動するように移動する駆動部材１７と、装置側から電源が供給されて作動する駆動部材１７の動力源であるソレノイド１６と、を備える。
【００１４】
また、カートリッジ筐体１１は、シート状記録材料Ｓの幅寸法に対応して図１、図２の紙面垂直方向に延びて長く構成されているが、遮光ガイド２１，２２及び給送ローラ対１４も記録材料Ｓの幅寸法に対応して図１、図２の紙面垂直方向に延びて構成されている。駆動部材１７及び支持部材１８，１９は、長く延びた遮光ガイド２１，２２のいずれかの端部近傍に配置されるが、両端部近傍に配置してもよい。
【００１５】
遮光ガイド２１，２２は、それぞれ回動支点軸２１ｂ、２２ｂを中心にして回動するように構成されており、回動支点軸２１ｂ、２２ｂに配置されたねじりコイルばね２１ａ、２２ａ等の付勢部材により、図１のように、搬出口２０を常時閉じる方向に付勢されている。
【００１６】
図１のように、カートリッジ１０が装置に装填されていない状態では、駆動部材１７や支持部材１８，１９がカートリッジ筐体１１内に引き込まれ、遮光ガイド２１，２２がねじりコイルばね２１ａ、２２ａの付勢力により搬出口２０を閉じ、カートリッジ筐体１１内を遮光するとともに、カートリッジ１０の下面１１ａとほぼ同一平面を形成している。
【００１７】
また、カートリッジ１０が装置に装填されると、装置側から電源が供給されてソレノイド１６が作動し、ソレノイド１６の軸１６ａが延び、駆動部材１７を介して支持部材１８，１９が遮光ガイド２１，２２を図の下方に押し付けることで、図２のように、ねじりコイルばね２１ａ、２２ａの付勢力に抗して遮光ガイド２１，２２がそれぞれ回動してカートリッジ筐体１１の外部で広がるようにして搬出口２０を開く。このようにして、遮光ガイド２１，２２が開くと、遮光ガイド２１，２２の各先端の間にシート状記録材料の先端Ｓ１が通過するガイドｇが搬出口２０の下方に形成されるようになっている。
【００１８】
また、図２のように、遮光ガイド２２が遮光ガイド２１よりも長めに形成されており、シート状記録材料の先端Ｓ１が主に遮光ガイド２２側で案内されかつ所定幅の隙間のガイドｇが形成される。
【００１９】
また、駆動部材１７はソレノイド１６の作動により給送ローラ対１４を図１，図２の上下方向に移動させるようになっている。図１のように、カートリッジ１０が装置に装填されていない状態では、給送ローラ対１４は、図の上方に移動し、記録材料の先端Ｓ１とともにカートリッジ筐体１１内に待避した状態となるとともに、給送ローラ対１４に外部からの動力を伝えるギヤ１５から物理的に切り離されるので、給送ローラ対１４を駆動しないように規制できる。
【００２０】
また、給送ローラ対１４は、カートリッジ１０が装置に装填されると、記録材料の先端Ｓ１とともに図の下方に移動し、先端Ｓ１を搬出口２０に導くようになっている。
【００２１】
次に、カートリッジ１０が装置に装填されたとき、カートリッジ１０の位置を規制する構成について図３を参照して説明する。図３は図２のようにカートリッジ１０が装置に装填されたときに遮光ガイドと装置側の位置決め部材との位置関係を概略的に示す図である。
【００２２】
図３のように、装置側には、カートリッジ１０の遮光ガイド２１，２２の位置決め部材２５，２６がカートリッジ１０の長手方向（図３の紙面垂直方向）に対応して延びるようにして互いにほぼ平行に配置されている。
【００２３】
カートリッジ１０が装置に装填されると、上述のように、支持部材１８，１９の下方への移動により遮光ガイド２１，２２が回動支点軸２１ｂ、２２ｂを中心に回動し開いてガイドｇを形成するが、遮光ガイド２１，２２の回動支点軸２１ｂ、２２ｂを挟んだ反対側端部２１ｃ、２２ｃが装置側の位置決め部材２５，２６に当接する。
【００２４】
上述のようにして、カートリッジ１０が装置に装填されると、遮光ガイド２１，２２がカートリッジ筐体１１の外部で装置側の位置決め部材２５，２６と協働してカートリッジ１０の位置を規制できるので、カートリッジ１０を装置に精度よく位置決めして装填することができる。
【００２５】
また、図１のように、カートリッジ１０が装置に装填されていない状態では、遮光ガイド２１，２２がカートリッジ筐体１１側に引き込まれカートリッジ１０の下面１１ａとほど同一平面を形成し、搬出口２０を閉じて内部を遮光するとともに、記録材料を搬出口２０から内側に待避させるので、記録材料の出口側を保護できる。
【００２６】
次に、図１，図２の記録材料用カートリッジ１０を装填可能な露光装置について図４を参照して説明する。図４は、図１の記録材料用カートリッジを露光装置に装填した状態を概略的に示す要部正面図である。
【００２７】
図４に示すように、露光装置３１は、その装填面３０から図１の記録材料用カートリッジ１０が装填されると、カートリッジ１０の下面１１ａが装填面３０に載置される。なお、カートリッジ１０に収容される記録材料は銀塩感光材料からなる。
【００２８】
露光装置３１は、カートリッジ１０の遮光ガイド２１，２２の直下に配置され記録材料を搬送する搬送ローラ対４０と、搬送ローラ対４０の下方に設けられカートリッジ１０から送られた破線で示すシート状記録材料Ｓを所定長さにカットするカット部４１と、カット部４１の直下からほぼ下方に延びて記録材料Ｓをガイドするガイド４２と、ガイド４２からの記録材料Ｓを更に搬送する搬送する搬送ローラ対４３と、搬送ローラ対４３で送られてきた記録材料Ｓを従動ローラ４４との間を通して外周に巻き付けて吸着し回転方向Ｒに回転する露光ドラム４５と、を備える。
【００２９】
露光装置３１は、露光ドラム４５上に吸着されて保持された記録材料に対し、画像データに基づいて変調されたＬＥＤ光やレーザ光等の光ビームＬを露光し記録材料に潜像を形成する光学ユニット４６と、光学ユニット４６を副走査のために副走査方向（図４の紙面垂直方向）に搬送する副走査部４７と、を備える。光学ユニット４６は副走査部４７により副走査されながら露光ドラム４５が回転方向Ｒに回転されて主走査されることで露光が行われ、記録材料に画像が形成される。なお、露光済みの記録材料（感光材料）は現像装置で現像される。
【００３０】
上述の露光装置３１に図１の記録材料用カートリッジ１０が装填されると、露光装置３１から電源が供給されてソレノイド１６が作動し、カートリッジ１０の遮光ガイド２１，２２が開くとともに、図３のように露光装置３１の位置決め部材２５，２６と協働してカートリッジ１０が露光装置３１に対し位置決めされる。そして、露光装置３１側のトルクが伝達されたギヤ１５が回転することで、記録材料Ｓが給送ローラ対１４により図の下方に搬送され、搬出口２０を通り、遮光ガイド２１、２２間をガイドされながら通過して、搬送ローラ対４０により更に下流側へ給送することができる。
【００３１】
以上のように本発明を実施するための最良の形態について説明したが、本発明はこれらに限定されるものではなく、本発明の技術的思想の範囲内で各種の変形が可能である。例えば、本実施の形態では、記録材料用カートリッジ１０内の給送ローラ対１４をギヤ１５に装置側のトルクを伝達して駆動するように構成したが、本発明はこれに限定されず、カートリッジ内にモータ等の回転駆動手段を配置し、装置側から供給される電源でモータ等を駆動し給送ローラ対１４を駆動するように構成してもよい。
【００３２】
また、本実施の形態では、駆動部材１７がソレノイド１６により動作するようにしたが、本発明はこれに限定されず、例えば、駆動部材を手動で移動させるように構成してもよい。
【００３３】
また、本発明による記録材料用カートリッジは、図４のような露光装置だけに適用されるものではなく、各種の画像形成装置・画像記録装置に適用できることは勿論である。
【図面の簡単な説明】
【００３４】
【図１】本実施の形態による記録材料用カートリッジの内部を正面から見た図であり、装置に装填していない状態を示す図である。
【図２】図２は図１の記録材料用カートリッジを装置に装填した場合の状態を示す図である。
【図３】図２のようにカートリッジ１０が装置に装填されたときに遮光ガイドと装置側の位置決め部材との位置関係を概略的に示す図である。
【図４】図１の記録材料用カートリッジを露光装置に装填した状態を概略的に示す要部正面図である。
【図５】ロール状記録材料を収容し装置に装填する従来のカートリッジタイプのマガジンの内部を正面側から見た図である。
【図６】感光体がロール状に巻かれた状態で収容され複写機に装填される従来の別のカートリッジタイプのマガジンを示す斜視図である。
【符号の説明】
【００３５】
１０ 記録材料用カートリッジ
１１ カートリッジ筐体
１１ａ 下面
１４ 給送ローラ対
１５ ギヤ
１６ ソレノイド
１７ 駆動部材
１８，１９ 支持部材
２０ 搬出口
２１，２２ 遮光ガイド
２１ａ、２２ａ ねじりコイルばね（付勢部材）
２１ｂ、２２ｂ 回動支点軸
２１ｃ、２２ｃ 反対側端部
２５，２６ 装置側の位置決め部材
３０ 装填面
３１ 露光装置
Ｓ シート状記録材料
Ｓ１ 記録材料の先端
ｇ ガイド
【図１】
2006234886.tif 000003
【図２】
2006234886.tif 000004
【図３】
2006234886.tif 000005
【図４】
2006234886.tif 000006
【図５】
2006234886.tif 000007
【図６】
2006234886.tif 000008